(57)【要約】【課題】吊り上げ時や搬送時にＰＣ部材の突出部を無くす、或いは少なくすることで、突出部の防護にかかる手間を低減することができ、施工の効率化を図ることができる。【解決手段】柱部１２及び柱部１２から張り出す梁部１３Ａ、１３Ｂからなり、柱部１２に鉛直方向に貫通する複数の貫通孔１２ａを有するＰＣ梁１０と、上接合端面２０ａ及び下接合端面２０ｂにＰＣ梁１０の柱部１２に接合する柱主筋孔２１を有するＰＣ柱２０と、貫通孔１２ａに挿入可能な柱主筋３１を複数一体的に設けた鉄筋ユニット３０とを備え、鉄筋ユニット３０は、貫通孔１２ａに挿入された状態で柱部１２に対して離脱自在に支持される構成をなし、ＰＣ柱２０の柱主筋孔２１には、貫通孔１２ａに貫通された鉄筋ユニット３０の柱主筋３１の突出端が挿入されて定着される構成の柱梁接合構造１を提供する。【選択図】図１
2013221361.tif 000002
【特許請求の範囲】
【請求項１】
柱部及び該柱部から張り出す梁部からなり、前記柱部に鉛直方向に貫通する複数の貫通孔を有するプレキャストコンクリート（ＰＣ）梁と、
上下の接合端面に前記ＰＣ梁の柱部に接合する柱主筋孔を有するプレキャストコンクリート（ＰＣ）柱と、
前記貫通孔に挿入可能な柱主筋を複数一体的に設けた鉄筋ユニットと、
を備え、
前記鉄筋ユニットは、前記貫通孔に挿入された状態で前記柱部に対して離脱自在に支持される構成をなし、
前記ＰＣ柱の前記柱主筋孔には、前記貫通孔に貫通された前記鉄筋ユニットの柱主筋の突出端が挿入されて定着されることを特徴とするプレキャストコンクリート柱梁の接合構造。
【請求項２】
前記鉄筋ユニットを前記柱部の所定位置で離脱自在に支持する支持部材が設けられていることを特徴とする請求項１に記載のプレキャストコンクリート柱梁の接合構造。
【請求項３】
前記支持部材は、該鉄筋ユニットの複数の柱主筋同士を所定間隔で保持する機能を有していることを特徴とする請求項２に記載のプレキャストコンクリート柱梁の接合構造。
【請求項４】
前記梁部の接合端面には、別体の接続継手筋を挿入可能な梁主筋孔が設けられていることを特徴とする請求項１乃至３のいずれか１項に記載のプレキャストコンクリート柱梁の接合構造。
【発明の詳細な説明】
【技術分野】
【０００１】
本発明は、プレキャストコンクリート柱梁の接合構造に関する。
【背景技術】
【０００２】
従来、プレキャストコンクリート（ＰＣ）柱梁の接合構造としては、ＰＣ梁やＰＣ柱などのＰＣ部材の一端面に貫通穴を設けるようにしたり、機械式継手などの継手金物を埋設し、その継手金物にＰＣ部材の他端面より突き出した鉄筋を突き刺して接合する工法が知られている（例えば、特許文献１参照）。
【０００３】
特許文献１には、端面から梁主筋の端部が水平方向に突出したＰＣ梁と、柱主筋が埋入され、柱主筋の少なくとも上端部に柱主筋連結用の継手が埋入されたＰＣ柱と、柱主筋を挿入させるための鉛直方向の貫通孔を有するとともに、梁主筋連結用の継手が埋入されたＰＣ仕口パネルと、により構成され、ＰＣ梁から梁主筋の端部が梁主筋孔に挿入され継手により連結される柱主筋孔には上方から中継筋が挿入され、その下端部を下階のＰＣ柱の柱主筋に連結し、上端部を上階の柱主筋に連結させることで、ＰＣ柱とＰＣ梁とをＰＣ部材である仕口パネル部材により接合する構成について開示されている。
【先行技術文献】
【特許文献】
【０００４】
【特許文献１】特許第３８３７３９０号公報
【発明の概要】
【発明が解決しようとする課題】
【０００５】
しかしながら、上述した従来のＰＣ柱梁の接合構造では、以下のような問題があった。
すなわち、一般的なＰＣ梁やＰＣ柱のＰＣ部材の場合も、それらの端面より鉄筋を突き出した状態で製造される。また、特許文献１の場合も、ＰＣ仕口パネルに挿入させた中継筋の上端部および下端部がＰＣ仕口パネルより突出した状態となる。そのため、施工時におけるＰＣ部材の吊上げ作業や運搬作業時に、ＰＣ部材から突出している鉄筋が他の部位や人に干渉しないように防護する必要があり、その点で改善の余地があった。
【０００６】
本発明は、上述する問題点に鑑みてなされたもので、吊り上げ時や搬送時にＰＣ部材の突出部を無くす、或いは少なくすることで、突出部の防護にかかる手間を低減することができ、施工の効率化を図ることができるプレキャストコンクリート柱梁の接合構造を提供することを目的とする。
【課題を解決するための手段】
【０００７】
上記目的を達成するため、本発明に係るプレキャストコンクリート柱梁の接合構造では、柱部及び柱部から張り出す梁部からなり、柱部に鉛直方向に貫通する複数の貫通孔を有するプレキャストコンクリート（ＰＣ）梁と、上下の接合端面にＰＣ梁の柱部に接合する柱主筋孔を有するプレキャストコンクリート（ＰＣ）柱と、貫通孔に挿入可能な柱主筋を複数一体的に設けた鉄筋ユニットと、を備え、鉄筋ユニットは、貫通孔に挿入された状態で柱部に対して離脱自在に支持される構成をなし、ＰＣ柱の柱主筋孔には、貫通孔に貫通された鉄筋ユニットの柱主筋の突出端が挿入されて定着されることを特徴としている。
【０００８】
本発明では、ＰＣ梁の柱部に設けられる貫通孔に挿通された鉄筋ユニットを、柱部の下端面から柱主筋の下端が突出しないように柱部に対して支持することができる。そのため、先行して設置したＰＣ柱上にＰＣ梁を接合する場合において、吊り上げるＰＣ梁に対して鉄筋ユニットを備えた状態であっても、そのＰＣ梁の柱部の下端面から柱主筋が突出しない状態とすることが可能となる。そして、ＰＣ梁をＰＣ柱の接合端面上の所定の位置に載置したときに、前記鉄筋ユニットの支持状態を解除することで、柱主筋が柱部の下端面から突出し、その柱主筋の下端がＰＣ柱の柱主筋孔に挿入されて定着し、これによりＰＣ柱とＰＣ梁とが接合されることになる。
ＰＣ柱は、上下の接合端面に柱主筋孔が設けられ、突出部がない構成となっている。一方、ＰＣ梁は、ＰＣ梁をＰＣ柱に接合する際にのみ鉄筋ユニットをＰＣ梁に組み込めばよく、鉄筋ユニットを備えていないときには突出部がない状態となる。そのため、吊り上げ時に鉄筋ユニットを備えた状態であっても少なくとも柱部の下端面に突出部がない状態となる。したがって、ＰＣ梁やＰＣ柱などのＰＣ部材の突出部の防護にかかる手間を低減することができる。
【０００９】
また、本発明に係るプレキャストコンクリート柱梁の接合構造では、鉄筋ユニットを柱部の所定位置で離脱自在に支持する支持部材が設けられていることが好ましい。
【００１０】
この場合、柱部の貫通孔に挿通された状態の鉄筋ユニットを支持部材によってＰＣ梁の柱部の所定位置に支持することができる。そして、支持部材が柱部に対して離脱自在に設けられているので、適宜なタイミングで支持部材を鉄筋ユニットから取り外して支持状態を解除することで、鉄筋ユニットの各柱主筋が貫通孔に対して挿通自在な状態となる。
【００１１】
また、本発明に係るプレキャストコンクリート柱梁の接合構造では、支持部材は、鉄筋ユニットの複数の柱主筋同士を所定間隔で保持する機能を有していることが好ましい。
【００１２】
本発明では、支持部材がＰＣ梁の柱部に鉄筋ユニットを支持させる機能に加え、柱主筋同士の間隔を保持することが可能となるので、上述したように鉄筋ユニットの柱部に対する支持状態を解除する場合に、支持部材を取り外すことで、複数の柱主筋同士の連結が外れ、柱主筋同士の連結状態が解除され、各柱主筋が個別に貫通孔を通過することが可能となる。
【００１３】
また、本発明に係るプレキャストコンクリート柱梁の接合構造では、梁部の接合端面には、別体の接続継手筋を挿入可能な梁主筋孔が設けられていることが好ましい。
【００１４】
これにより、梁部の接合端面に梁主筋孔のみが設けられており、先行して設置した一方のＰＣ梁の梁部に対して他方のＰＣ梁の梁部を接合する際には、一方の梁主筋孔に接続継手筋を取り付けた後に、その接合端面より突出した接続継手筋に対して、他方のＰＣ梁の梁部の梁主筋孔を挿入させることで、ＰＣ梁同士が接合される。つまり、接合時に吊り上げられるＰＣ梁には、その柱部の下端面の他に梁部の接合端面にも突出部がなくなることから、ＰＣ部材の突出部の防護にかかる手間を低減することができる。
【発明の効果】
【００１５】
本発明のプレキャストコンクリート柱梁の接合構造によれば、吊り上げ時や搬送時にＰＣ部材の突出部を無くす、或いは少なくすることで、突出部の防護にかかる手間を低減することができ、施工の効率化を図ることができる。
【図面の簡単な説明】
【００１６】
【図１】本発明の実施の形態による柱梁接合構造の構成を示す分解斜視図である。
【図２】ＰＣ梁の構成を示す斜視図である。
【図３】図に示すＰＣ梁の梁部における接合端面を示す正面図である。
【図４】他の構成のＰＣ梁を示す斜視図である。
【図５】ＰＣ柱の構成を示す縦断面図である。
【図６】主筋拘束部材の構成を示す斜視図である。
【図７】図６に示すＡ−Ａ線断面図であって、主筋拘束部材の縦断面図である。
【図８】図７に示す主筋拘束部材を上から見た図である。
【図９】主筋拘束部材の作用を説明する縦断面図であって、（ａ）は柱主筋の落下前の状態を示す図、（ｂ）は柱主筋の落下後の状態を示す図である。
【図１０】（ａ）〜（ｃ）は、柱梁接合構造の施工手順を示す図である。
【図１１】（ａ）〜（ｃ）は、柱梁接合構造の施工手順を示す図である。
【図１２】（ａ）〜（ｃ）は、柱梁接合構造の施工手順を示す図である。
【図１３】（ａ）、（ｂ）は、柱梁接合構造の施工手順を示す図である。
【図１４】図１３（ｂ）に示す施工状態の上面図である。
【発明を実施するための形態】
【００１７】
以下、本発明の実施の形態によるプレキャストコンクリート柱梁の接合構造について、図面に基づいて説明する。
【００１８】
図１に示すように、本実施の形態によるプレキャストコンクリート柱梁の接合構造（以下、柱梁接合構造１という）は、プレキャストコンクリート（ＰＣ）梁１０とプレキャストコンクリート（ＰＣ）柱２０とを、ＰＣ柱２０内に挿入されるとともに複数の柱主筋３１、３１、…を一体化させた鉄筋ユニット３０によって接合するものである。そして、ＰＣ梁１０、１０同士は、梁端部（梁部の接合端面１３ｂ）に連結される接続継手筋１１を介して接合される。
ここで、図１は、柱梁接合構造１を分解した状態を示しており、各部材を図中矢印で示す向きに設置することで柱梁接合構造１が完成する。
【００１９】
図１及び図２に示すように、ＰＣ梁１０は、上端面１２ｂ及び下端面１２ｃがＰＣ柱２０に接合される柱部１２と、柱部１２を挟んで左右両側から張り出す梁部１３（第１梁部１３Ａ、第２梁部１３Ｂ）と、が一体化されて構成されている。
【００２０】
柱部１２は、直方体状に構成され、鉛直方向に貫通する複数の貫通孔１２ａが設けられている。この貫通孔１２ａは、柱主筋３１が挿通可能な孔径をなしている。鉄筋ユニット３０を構成する柱主筋３１は、ＰＣ柱２０に対する所定の接合位置で、柱部１２の上端面１２ｂ及び下端面１２ｃの両方からそれぞれ突出され、その柱主筋３１の突出端３１ａ、３１ｂがＰＣ柱２０に接続される。
【００２１】
梁部１３Ａ、１３Ｂは、梁主筋１４が埋設されており、架構のスパン長の略半分（１／２）の長さ寸法をなし、一方のＰＣ梁１０の第１梁部１３Ａと他方のＰＣ梁１０の第２梁部１３Ｂとを接合することで柱部１２、１２同士の間に１スパン分の梁が構成されるようになっている（図１３（ｂ）、図１４参照）。なお、梁部１３Ａ、１３Ｂの長さ寸法は、架構スパンの略半分であることに限定されることはなく、適宜な長さに設定することが可能である。
【００２２】
図２及び図３に示すように、梁部１３の張出し端部（接合端面１３ｂ）には、別体の接続継手筋１１（図１）を挿入可能な梁主筋孔１３ａが断面視で梁主筋１４と同位置に設けられている。梁主筋孔１３ａは、鞘管が使用されたものであり、梁主筋１４に接合されており、梁主筋孔１３ａに挿入される接続継手筋１１が梁主筋孔１３ａを介して梁主筋１４に連結されている。接続継手筋１１は、隣接するＰＣ梁１０、１０の梁部１３Ａ、１３Ｂ同士を連結するための鉄筋であり、長さ方向の略半分が梁主筋孔１３ａに挿入された状態で、他方の半分が梁部１３の接合端面１３ｂより突出される。この接続継手筋１１の突出する部分（図１１（ｃ）に示す突出端１１ａ）は、隣接して接合される別のＰＣ梁１０の梁部１３の梁主筋孔１３ａに挿入されて定着される。
【００２３】
図４に示す符号１０’のＰＣ梁は、図２に示すＰＣ梁１０とは別の形状をしたものである。つまり、ＰＣ梁１０’は、柱部１２から３方に梁部１３（第１梁部１３Ａ、第２梁部１３Ｂ、第３梁部１３Ｃ）を備えた構成のものである。ここでは、第３梁部１３Ｃは、他の第１梁部１３Ａ及び第２梁部１３Ｂの材軸方向に対して直交する方向に延び、その接合端面１３ｂには第１梁部１３Ａ、第２梁部１３Ｂと同様に複数の梁主筋孔１３ａが設けられている。なお、本実施の形態の第３梁部１３Ｃの延在方向の長さ寸法は、第１梁部１３Ａ及び第２梁部１３Ｂの長さ寸法に比べて短くなっている。
【００２４】
図５に示すように、ＰＣ柱２０は、柱主筋２２を備え、この上接合端面２０ａ及び下接合端面２０ｂに図２に示すＰＣ梁１０の柱部１２に接合する複数の柱主筋孔２１を有している。これら柱主筋孔２１は、鞘管が使用されており、柱部１２の貫通孔１２ａに挿入された図１に示す鉄筋ユニット３０の柱主筋３１の突出端３１ａ、３１ｂが挿入されて定着されるようになっている。つまり、ＰＣ柱２０の上接合端面２０ａに設けられる柱主筋孔２１には上側に接合されるＰＣ梁１０を挿通した柱主筋３１の下端（突出端３１ａ）が挿入され、ＰＣ柱２０の下接合端面２０ｂに設けられる柱主筋孔２１には下側に接合されるＰＣ梁１０を挿通した柱主筋３１の上端（突出端３１ｂ）が挿入される。
【００２５】
図１に示す鉄筋ユニット３０は、ＰＣ梁１０の柱主筋孔２１に挿入可能な複数の柱主筋３１、３１、…を一体的に設けた構成をなし、ＰＣ梁１０の柱部１２の所定位置で離脱自在に支持する支持リング３２（支持部材）が設けられている。具体的に支持リング３２（３２Ａ、３２Ｂ）は、複数の柱主筋３１、３１、…を囲うようにして配置される四角形状リング部材であり、各柱主筋３１に対して結束線やクリップ等の連結手段によって取り外し可能に接続されている。そして、支持リング３２と柱部１２との支持構造は、単に鉄筋ユニット３０に固定された支持リング３２を柱部１２の上端面１２ｂに載置させる方法でもよいし、あるいは、支持リング３２をボルト等の固定部材を用いて柱部１２に支持させる方法とすることも可能である。
また、支持リング３２Ａ、３２Ｂは、複数の柱主筋３１、３１同士を所定間隔をもって配列するように保持する機能も有しており、鉄筋ユニット３０の上下方向に間隔をあけて複数（図１では２つ）設けられている。
【００２６】
図６に示すように、前記支持リング３２とは別で、或いは支持リング３２に代えて主筋拘束部材４（支持部材）を設けるようにしてもよい。主筋拘束部材４は、Ｌ型鋼材が使用され、平面視でＰＣ梁１０の柱部１２とほぼ同じ外形の枠状部材４１と、枠状部材４１上に載置され柱主筋３１の落下を規制する複数の係止治具４２と、からなる。
【００２７】
枠状部材４１の水平方向に向けた上フランジ４１ａには、鉄筋ユニット３０の複数の柱主筋３１のそれぞれを通過させることが可能な円形の挿通穴４１ｂ（図７参照）が形成されている。なお、図６では、複数（ここでは柱主筋３１と同数の１６箇所）の挿通穴４１ｂのうち３箇所に係止治具４２が設けられた状態を示している。つまり、実際には、すべての挿通穴４１ｂの位置に柱主筋３１を支持する係止治具４２が設けられることになる。
【００２８】
図７及び図８に示すように、係止治具４２は、５枚の板によって略五角形に形成された支持枠４３と、支持枠４３のうち１枚の第１板４３ａに螺合するねじ部材４４と、からなる。支持枠４３の第１板４３ａの内面に対向する角部を形成する第２板４３ｂ及び第３板４３ｃは、その内角部４３ｄで柱主筋３１を内接する部分となる。この内角部４３ｄで柱主筋３１を接触させつつねじ部材４４を締め込み、そのねじ部材４４の先端４４ａで柱主筋３１の周面を当接して係止し、これにより柱主筋３１が落下せずに固定された状態となる（図９（ａ）参照）。そして、ねじ部材４４を緩めることで、その先端４４ａの柱主筋３１に対する係止状態が解除され、その柱主筋３１が落下する構成となっている（図９（ｂ）参照）。
【００２９】
図９（ａ）に示すように、主筋拘束部材４によって複数の柱主筋３１をＰＣ梁１０の柱部１２の下端面１２ｃから突出しない位置で固定し、その状態の柱部１２をＰＣ柱２０の上接合端面２０ａに載置する。次いで、図９（ｂ）に示すように、すべての係止治具４２のねじ部材４４を緩めると、柱主筋３１の主筋拘束部材４に対する固定状態が解除されて落下し、その下端（吐出端３１ａ）がＰＣ柱２０の上接合端面２０ａに設けられる柱主筋孔２１内に挿入されることになる。
【００３０】
次に、上述した構成の柱梁接合構造１を施工する場合について、図面に基づいて説明する。ここでは、下階に一対のＰＣ柱２０（これを符号２０Ａとする）が先行して組み付けられている状態で、これらＰＣ柱２０Ａ上にＰＣ梁１０（これを符号１０Ａ、１０Ｂとする）を接合するとともに、さらにそのＰＣ梁１０Ａ、１０Ｂ上に上階のＰＣ柱２０（これを符号２０Ｂとする）を接合する場合について説明する。なお、ここでの施工の説明においては、上述した主筋拘束部材４（図６）による支持手段については、説明を省略する。
【００３１】
先ず、図１０（ａ）、（ｂ）に示すように、予め施工箇所付近の地上に置いたＰＣ梁１０Ａの柱部１２に形成されている貫通孔１２ａに、上下一対の支持リング３２Ａ、３２Ｂによって柱主筋３１の位置が保持された鉄筋ユニット３０（複数の柱主筋３１）を柱部１２の上方から挿入する。下側の支持リング３２Ａは、柱主筋３１の支持リング３２Ａよりも下側に位置する部分が柱部１２の高さ寸法(貫通孔１２ａの孔長）と同等となる位置に配置されている。
【００３２】
そして、鉄筋ユニット３０は、下側の支持リング３２Ａを柱部１２の上端面１２ｂに載置することで、柱部１２に対する所定の位置で取り外し可能に支持される。このとき、貫通孔１２ａ内に挿通された柱主筋３１の下端の位置は、柱部１２の下端面１２ｃの高さと略一致する位置となる。なお、柱主筋３１の支持リング３２Ａよりも下側に位置する部分は、柱部１２の高さ寸法よりも短い寸法であってもよい、要は、柱主筋３１の下端（突出端３１ａ）が柱部１２の下端面１２ｃから下方に突出していない状態であればよい。
【００３３】
次に、図１０（ｃ）に示すように、前記工程で準備した鉄筋ユニット３０を備えたＰＣ梁１０Ａを吊り上げ、そのＰＣ梁１０Ａの柱部１２を、先行して組み付けられている一方（図１０（ｃ）で紙面左側）のＰＣ柱２０Ａ上に接合する。具体的には、柱部１２をＰＣ柱２０Ａに対して同軸に載置する。これにより、ＰＣ柱２０Ａの上接合端面２０ａに設けられている柱主筋孔２１と柱部１２の貫通孔１２ａとの位置が一致する。
なお、ＰＣ梁１０Ａは、吊り上げた状態であっても、鉄筋ユニット３０が支持リング３２Ａによって柱部１２に支持され、その複数の柱主筋３１の位置が固定されているので、柱部１２の下端面１２ｃから柱主筋３１の下端が突出することはない。
【００３４】
続いて、図１１（ａ）に示すように、ＰＣ梁１０Ａの柱部１２がＰＣ柱２０Ａに載置された状態において、上下の支持リング３２を取り外して鉄筋ユニット３０を下降させることで、その柱主筋３１の下端（突出端３１ａ）がＰＣ柱２０Ａの柱主筋孔２１内に挿入し定着される。ここで、支持リング３２は、貫通孔１２ａに挿入されている複数の柱主筋３１の上端側に抜き取るようにして取り外す。なお、この接合状態において、ＰＣ梁１０Ａの柱部１２の上端面１２ｂには、複数の柱主筋３１の上端（突出端３１ｂ）が突出している。
【００３５】
次に、図１１（ｂ）に示すように、下階のＰＣ柱２０Ａに接合されたＰＣ梁１０Ａの柱部１２上に、上階のＰＣ柱２０Ｂを接合する。このとき、ＰＣ柱２０Ｂは、この下接合端面２０ｂに設けられる柱主筋孔２１が柱部１２より突出する柱主筋３１の突出端３１ｂに挿入されるように、移動させながら設置する。図１１（ｃ）は、上階のＰＣ柱２０Ｂが接合された状態を示している。
そして、図１１（ｃ）に示すように、ＰＣ梁１０Ａの一方（紙面右側）の第１梁部１３Ａの梁主筋孔１３ａには、接続継手筋１１が挿入され定着される。このとき、接続継手筋１１は、接合端面１３ｂから一端（突出端１１ａ）が突出した状態となる。なお、とくに図示しないが、他方（紙面左側）の第２梁部１３Ｂの梁主筋孔１３ａにも上述したように接続継手筋１１を挿入することができる。
【００３６】
次に、図１２（ａ）、（ｂ）に示すように、前記工程により組み付けたＰＣ梁１０Ａに対して、隣接するＰＣ梁１０Ｂを接合する。ここで接合するＰＣ梁１０Ｂは、上述した図４に示すＰＣ梁１０’が採用されている。この場合においても、上述した図１０（ａ）、（ｂ）と同様の手順により、予めＰＣ梁１０Ｂの柱部１２に鉄筋ユニット３０を備えておく。つまり、柱主筋３１の下端が柱部１２の下端面１２ｃから突出しないように鉄筋ユニット３０を支持リング３２Ａによって柱部１２に支持し、ＰＣ梁１０Ｂを吊り上げたときでも貫通孔１２ａを通過して下方に移動しない状態にしておく。
【００３７】
そして、ＰＣ梁１０Ｂを吊ったまま移動させ、その一方（図１２（ａ）、（ｂ）の紙面左側）の第２梁部１３Ｂの梁主筋孔１３ａを既設のＰＣ梁１０Ａの第１梁部１３Ａから突出する接続継手筋１１の突出端１１ａに横方向から挿入することで、両ＰＣ梁１０Ａ、１０Ｂ同士が接合される（図１２（ｃ）参照）。このとき、図１２（ｃ）に示すように、柱部１２を先行して組み付けた紙面右側のＰＣ柱２０Ａに対して同軸に載置されることになり、ＰＣ柱２０Ａの上接合端面２０ａに設けられている柱主筋孔２１と柱部１２の貫通孔１２ａとの位置を一致した状態にする。
【００３８】
次いで、図１２（ｃ）に示すように、ＰＣ梁１０Ｂの柱部１２がＰＣ柱２０Ａに載置された状態において、上下の支持リング３２を取り外して鉄筋ユニット３０を下降させることで、その柱主筋３１の下端（突出端３１ａ）がＰＣ柱２０Ｂの柱主筋孔２１内に挿入して定着される。そして、この接合状態において、ＰＣ梁１０Ｂの柱部１２の上端面１２ｂには、複数の柱主筋３１の上端（突出端３１ｂ）が突出している。
【００３９】
次に、図１３（ａ）、（ｂ）、および図１４に示すように、ＰＣ梁１０Ｂの柱部１２上に、上階のＰＣ柱２０Ｂを接合する。このとき、ＰＣ柱２０Ｂは、この下接合端面２０ｂに設けられる柱主筋孔２１が柱部１２より突出する柱主筋３１の突出端３１ｂに挿入されるように、移動させながら設置する。
このような図１０〜図１４に示す作業により隣接するＰＣ梁１０Ａ、１０Ｂ同士、およびＰＣ梁１０Ａ、１０ＢとＰＣ柱２０Ａ、２０Ｂ同士の接合が完了することになる。
また、このような作業を繰り返して柱梁を接合していくことにより架構を構築することができる。
【００４０】
なお、上述した施工手順において、ＰＣ梁１０Ａの接合後に上階のＰＣ柱２０Ｂ、隣接するＰＣ梁１０Ｂを組み付ける手順であり、ＰＣ梁１０Ａの柱部１２から突出している柱主筋３１の放置時間を最短にすることができるが、このような手順に限定されることはない。例えば、一方のＰＣ梁１０Ａの接合後に他方のＰＣ梁１０Ｂを接合し、その後に一方のＰＣ梁１０Ａ上に上階のＰＣ柱２０Ｂを接合する手順としてもよく、これらの手順は施工し易い順で行うことが可能である。
【００４１】
次に、上述した構成の柱梁接合構造１の作用について、詳細に説明する。
図１に示すように、本実施の形態の柱梁接合構造１では、ＰＣ梁１０の柱部１２に設けられる貫通孔１２ａに挿通された鉄筋ユニット３０を、柱部１２の下端面１２ｃから柱主筋３１の下端が突出しないように柱部１２に対して支持することができる。そのため、先行して設置したＰＣ柱２０上にＰＣ梁１０を接合する場合において、吊り上げるＰＣ梁１０に対して鉄筋ユニット３０を備えた状態であっても、そのＰＣ梁１０の柱部１２の下端面１２ｃから柱主筋３１が突出しない状態とすることが可能となる。
【００４２】
そして、ＰＣ梁１０をＰＣ柱２０の接合端面上の所定の位置に載置したときに、支持リング３２を取り外して鉄筋ユニット３０の柱部１２に対する支持状態を解除することで、柱主筋３１が柱部１２の下端面１２ｃから突出し、その柱主筋３１の下端がＰＣ柱２０の柱主筋孔２１に挿入されて定着し、これによりＰＣ柱２０とＰＣ梁１０とが接合されることになる。
【００４３】
このように、ＰＣ柱２０は、上下の接合端面２０ａ、２０ｂに柱主筋孔２１が設けられ、突出部がない構成となっている。一方、ＰＣ梁１０は、ＰＣ梁１０をＰＣ柱２０に接合する際にのみ鉄筋ユニット３０をＰＣ梁１０に組み込めばよく、鉄筋ユニット３０を備えていないときには突出部がない状態となる。そのため、吊り上げ時に鉄筋ユニット３０を備えた状態であっても少なくとも柱部１２の下端面１２ｃに突出部がない状態となる。したがって、ＰＣ梁１０やＰＣ柱２０などのＰＣ部材の突出部の防護にかかる手間を低減することができる。
【００４４】
また、鉄筋ユニット３０には、柱部１２の所定位置で離脱自在に支持する支持リング３２が設けられているので、柱部１２の貫通孔１２ａに挿通された状態の鉄筋ユニット３０を支持リング３２によってＰＣ梁１０の柱部１２の所定位置に支持することができる。そして、支持リング３２が柱部１２に対して離脱自在に設けられているので、適宜なタイミングで支持リング３２を鉄筋ユニット３０から取り外して支持状態を解除することで、鉄筋ユニット３０の各柱主筋３１が貫通孔１２ａに対して挿通自在な状態となる。
【００４５】
また、本実施の形態の支持リング３２Ａ、３２ＢがＰＣ梁１０の柱部１２に鉄筋ユニット３０を支持させる機能に加え、柱主筋３１、３１同士の間隔を保持することが可能となるので、上述したように鉄筋ユニット３０の柱部１２に対する支持状態を解除する場合に、支持リング３２を取り外すことで、複数の柱主筋３１、３１同士の連結が外れ、柱主筋３１同士の連結状態が解除され、各柱主筋３１が個別に貫通孔１２ａを通過することが可能となる。
【００４６】
さらに、本実施の形態では、２つの支持リング３２Ａ、３２Ｂが鉄筋ユニット３０の上下方向に間隔をあけて設けられているので、下側の支持リング３２Ａから段階的に取り外していくことで、一度に複数の柱主筋３１、３１同士の保持状態が解除されるのを抑制することができる。つまり柱主筋３１の上端の間隔を保持する拘束がなくなってスムーズに挿通できなくなるのを防止することができる。
【００４７】
さらにまた、梁部１３には別体の接続継手筋１１を挿入可能な梁主筋孔１３ａが設けられ、梁部１３の接合端面１３ｂに梁主筋孔１３ａのみが設けられているので、図１０に示すように、先行して設置した一方のＰＣ梁１０Ａの梁部１３Ａに対して他方のＰＣ梁１０Ｂの梁部１３Ｂを接合する際には、一方の梁部１３Ａの梁主筋孔１３ａに接続継手筋１１を取り付けた後に、その接合端面１３ｂより突出した接続継手筋１１の突出端１１ａに対して、他方のＰＣ梁１０Ｂの梁部１３Ｂの梁主筋孔１３ａを挿入させることで、ＰＣ梁１０Ａ、１０Ｂ同士が接合される。つまり、接合時に吊り上げられるＰＣ梁１０には、その柱部１２の下端面１２ｃの他に梁部１３の接合端面１３ｂにも突出部がなくなることから、ＰＣ部材の突出部の防護にかかる手間を低減することができる。
【００４８】
上述のように本実施の形態によるプレキャストコンクリート柱梁の接合構造では、吊り上げ時や搬送時にＰＣ梁１０やＰＣ柱２０からなるＰＣ部材の突出部を無くす、或いは少なくすることで、突出部の防護にかかる手間を低減することができ、施工の効率化を図ることができる。
【００４９】
以上、本発明によるプレキャストコンクリート柱梁の接合構造の実施の形態について説明したが、本発明は上記の実施の形態に限定されるものではなく、その趣旨を逸脱しない範囲で適宜変更可能である。
例えば、本実施の形態のプレキャストコンクリート柱梁の接合構造では鉄筋ユニット３０をリング状の支持リング３２を用いてＰＣ梁１０の柱部１２に支持させる構成、あるいは主筋拘束部材４を用いる構成としているが、これに限定されることはなく、他の構成、他の支持手段を用いることも可能ある。例えば、本実施の形態では、支持リング３２が柱部１２に対する支持機構と、柱主筋３１同士の位置を保持する機能と、を備えたものであるが、前記保持機能を有さないものであってもよい。また、本実施の形態の主筋拘束部材４の枠状部材４１ではＬ型鋼材を使用しているが、平板であってもかまわない。
【００５０】
また、ＰＣ梁、ＰＣ柱の断面形状、長さ寸法、主筋の本数などの構成についても、本実施の形態に制限されることはなく、適宜変更することが可能である。例えば、本実施の形態ではＰＣ梁１０の梁部１３の全断面がプレキャストコンクリート（ＰＣ）で形成されているが、断面の一部（例えば略半断面）のみがＰＣにより形成された構成とすることができる。
【００５１】
その他、本発明の趣旨を逸脱しない範囲で、上記した実施の形態における構成要素を周知の構成要素に置き換えることは適宜可能である。
【符号の説明】
【００５２】
１  柱梁接合構造
４  主筋拘束部材（支持部材）
１０、１０’、１０Ａ、１０Ｂ  ＰＣ梁（プレキャストコンクリート梁）
１１  接続継手筋
１１ａ  突出端
１２  柱部
１２ａ  貫通孔
１２ｂ  上端面
１２ｃ  下端面
１３、１３Ａ、１３Ｂ、１３Ｃ  梁部
１３ａ  梁主筋孔
１３ｂ  梁部の接合端面
１４  梁主筋
２０、２０Ａ、２０Ｂ  ＰＣ柱（プレキャストコンクリート柱）
２０ａ  上接合端面
２０ｂ  下接合端面
２１  柱主筋孔
２２  柱主筋
３０  鉄筋ユニット
３１  柱主筋
３１ａ、３１ｂ  突出端
３２  支持リング（支持部材）
４１  枠状部材
４２  係止治具
【図１】
2013221361.tif 000003
【図２】
2013221361.tif 000004
【図３】
2013221361.tif 000005
【図４】
2013221361.tif 000006
【図５】
2013221361.tif 000007
【図６】
2013221361.tif 000008
【図７】
2013221361.tif 000009
【図８】
2013221361.tif 000010
【図９】
2013221361.tif 000011
【図１０】
2013221361.tif 000012
【図１１】
2013221361.tif 000013
【図１２】
2013221361.tif 000014
【図１３】
2013221361.tif 000015
【図１４】
2013221361.tif 000016